(57)【要約】【課題】電解コンデンサに大きな突入電流を流すことなく小さいスイッチで放電灯を点灯、消灯を繰り返すことができる放電灯点灯装置を提供する。【解決手段】直流電源１と、この直流電源１から供給される直流を高周波電流に変換する一対のスイッチング素子２、３を有するインバータ回路と、チョークコイル５及び放電灯６を有する放電灯負荷回路Ｌ１００と、ダイオード２２を介して電源が供給され、インバータ回路を起動させる起動回路ＳＴ１００と、入力信号に対し交互にＯＮ、ＯＦＦ状態が反転する２つの出力信号を出力する切替信号出力回路３３と、起動回路ＳＴ１００のダイオード２２のアノード側に接続され、スイッチング素子３のゲート駆動信号を無効にするラッチ回路Ｌａとを備える。【選択図】　　　　図１
2004063330.tif 000002
【特許請求の範囲】
【請求項１】
直流電源と、この直流電源から供給される直流を高周波電流に変換する一対のスイッチング素子を有するインバータ回路と、チョークコイル及び放電灯を有する放電灯負荷回路と、を備えた放電灯点灯装置において、
ダイオードを介して電源が供給され、上記インバータ回路を起動させる起動回路と、
入力信号に対し交互にＯＮ、ＯＦＦ状態が反転する２つの出力信号を出力する切替信号出力回路と、
上記起動回路の上記ダイオードのアノード側に接続され、上記スイッチング素子のゲート駆動信号を無効にするラッチ回路と、
を備え、
上記切替信号出力回路の上記２つの出力信号の一方を上記ラッチ回路のセット信号に、他方をリセット信号にすることを特徴とする放電灯点灯装置。
【請求項２】
直流電源と、この直流電源から供給される直流を高周波電流に変換する一対のスイッチング素子を有するインバータ回路と、チョークコイル及び放電灯を有する放電灯負荷回路と、を備えた放電灯点灯装置において、
上記放電灯のフィラメント及びダイオードを介して電源が供給され、上記インバータ回路を起動させる起動回路と、
入力信号に対し交互にＯＮ、ＯＦＦ状態が反転する２つの出力信号を出力する切替信号出力回路と、
上記起動回路の上記ダイオードのアノード側に接続され、上記スイッチング素子のゲート駆動信号を無効にするラッチ回路と、
を備え、
上記切替信号出力回路の上記２つの出力信号の一方を上記ラッチ回路のセット信号に、他方をリセット信号にすることを特徴とする放電灯点灯装置。
【請求項３】
放電灯負荷回路のチョークコイルに設けられ、スイッチング素子を交互にＯＮ、ＯＦＦ駆動する電圧を発生する２次巻線と、
この２次巻線に発生した上記電圧を検出して、上記検出電圧が予め定めた値より大きい場合に上記ラッチ回路を動作させるラッチ動作制御回路と、
を備えたことを特徴とする請求項１または２記載の放電灯点灯装置。
【発明の詳細な説明】
【０００１】
【発明の属する技術分野】
この発明は、インバータ回路で高周波電力によって点灯される放電灯点灯装置のＯＮ、ＯＦＦ回路に関するものである。
【０００２】
【従来の技術】
図５に、従来の放電灯点灯装置の回路図を示す。図において１は商用電源等を整流平滑して得られる直流電源、２、３はインバータ回路を構成するＭＯＳＦＥＴから成るスイッチング素子、１１はスイッチング素子２に並列に接続された抵抗、Ｌ１００は放電灯負荷回路であり、チョークコイル５、放電灯６、放電灯に並列に接続されたコンデンサ７、カップリングコンデンサ８から構成される。
５ａおよび５ｂはチョークコイル５の２次巻線で、スイッチング素子２、３を交互にＯＮ、ＯＦＦするように図示・印の極性でスイッチング素子２、３のゲート、ソース間に抵抗１３、１４を介して接続される。
【０００３】
チョークコイル５の１次および２次間の結合を表すため、破線で図示してある。
なお、スイッチング素子２及び３のドレイン・ソース間に内蔵されている等価ダイオードは図示を省略している。ＳＴ１００は起動回路であり、一端が直流電源１の正極に接続された抵抗１５、抵抗１５の他端と直流電源１の負極の間に接続されたコンデンサ１６、一端が抵抗１５とコンデンサ１６の接続点に接続されたトリガーダイオード１７（例えば、ＮＥＣ製のＮ４１３がこれに相当する）、トリガーダイオード１７とスイッチング素子３のゲートの間に接続された抵抗１８、アノードが抵抗１５とコンデンサ１６の接続点に、カソードがスイッチング素子３のドレインに接続されたダイオード１９から構成される。
【０００４】
なお、商用電源から直流電源を得る場合の構成例を図６に示す。
図において、５０は商用電源、５１は商用電源をＯＮ、ＯＦＦするための電源スイッチでダイオードブリッジ５２で全波整流された後コンデンサ５３で平滑され、直流電源として負荷回路に出力される。
【０００５】
次に、図５、６に示した従来例の動作を説明する。図において、電源スイッチ５１がＯＮになり直流電源１が投入されると直流電源１から抵抗１５を介してコンデンサ１６は充電される。コンデンサ１６の充電電圧がトリガーダイオード１７の電圧を越えると、コンデンサ１６から抵抗１８、抵抗１３、チョークコイル５の２次巻線５ｂを介して電流が流れ、抵抗１３と２次巻線５ｂに発生する電圧によりスイッチング素子３はＯＮとなる。
【０００６】
この時、抵抗１１を介してコンデンサ７、８に充電されていた電荷がチョークコイル５、スイッチング素子３の経路で放電され、そのときチョークコイル５の２次巻線５ｂに発生した電圧によっても、スイッチング素子３はさらにＯＮ、２次巻線５ａに発生した電圧によって、スイッチング素子２はＯＦＦ状態になる。一方、コンデンサ１６の電圧はスイッチング素子３がＯＮになることにより放電するのでトリガーダイオード１７はＯＦＦになる。また、チョークコイル５を流れる電流は放電灯負荷回路Ｌ１００の回路定数等で定まる周期の後、流れる電流の向きが反転し、それによって今度はスイッチング素子２がＯＮ、スイッチング素子３がＯＦＦに転ずる。以後スイッチング素子２、３は交互に高周波で駆動され放電灯６は点灯に至る。
また、コンデンサ１６の電圧はスイッチング素子３がＯＮする度に、ダイオード１９を介して放電するので、抵抗１５、コンデンサ１６の値を適当に選定すれば、発振の継続中にトリガーダイオード１７が再びＯＮすることはない。
【０００７】
ここで、電源スイッチ５１をＯＦＦにすれば、電解コンデンサ５３に充電された電圧で放電灯６が点灯した後、コンデンサ５３の電圧が低下すると放電灯６は消灯する。その後、再び電源スイッチ５１をＯＮにすれば、交流電源５０、電源スイッチ５１、ダイオードブリッジ５２を介して電解コンデンサ５３に充電電流が流れる。
【０００８】
【発明が解決しようとする課題】
しかしながら、上記の従来の放電灯点灯装置では、放電灯６が消灯後、再び電源スイッチ５１をＯＮにすると、交流電源５０、電源スイッチ５１、ダイオードブリッジ５２を介して電解コンデンサ５３に充電電流が流れる。
しかし、この時の充電電流は交流電源５０と電解コンデンサ５３間の電流制限インピーダンスが小さいので定常点灯状態の流入電流に比べて大きなピーク値を持つ突入電流となってスイッチ５１、ダイオードブリッジ５２を流れる。
【０００９】
このため、電源スイッチ５１、ダイオードブリッジ５２には、大きな突入電流に耐える大きくて、高価な部品が必要になる問題があった。
また、スイッチ５１を頻繁にＯＮ、ＯＦＦするような場合には接点の寿命が短くなる問題があった。
また、スイッチ５１が大型のため照明器具の意匠上の制約やスイッチ操作が重たく感ずる問題もあった。
さらに、長時間の点灯によって放電灯６のフィラメントの放電物質が消耗した場合には整流放電によるチラツキ放電やスイッチング素子２、３の損失増大にともなう温度上昇による劣化等の問題があった。
【００１０】
この発明は、上記のような問題点を解決するためになされたもので、この発明の目的は、電解コンデンサに大きな突入電流を流すことなく小さいスイッチで放電灯を点灯、消灯を繰り返すことができるとともに、同一の回路を利用して放電灯の寿命末期時に自動的にインバータ回路の発振を停止する保護回路機能を備えた点灯装置を提供するものである。
【００１１】
【課題を解決するための手段】
この発明にかかる放電灯点灯装置は、直流電源と、この直流電源から供給される直流を高周波電流に変換する一対のスイッチング素子を有するインバータ回路と、チョークコイル及び放電灯を有する放電灯負荷回路と、を備えた放電灯点灯装置において、ダイオードを介して電源が供給され、上記インバータ回路を起動させる起動回路と、入力信号に対し交互にＯＮ、ＯＦＦ状態が反転する２つの出力信号を出力する切替信号出力回路と、上記起動回路の上記ダイオードのアノード側に接続され、上記スイッチング素子のゲート駆動信号を無効にするラッチ回路と、を備え、上記切替信号出力回路の上記２つの出力信号の一方を上記ラッチ回路のセット信号に、他方をリセット信号にするものである。
【００１２】
また、直流電源と、この直流電源から供給される直流を高周波電流に変換する一対のスイッチング素子を有するインバータ回路と、チョークコイル及び放電灯を有する放電灯負荷回路と、を備えた放電灯点灯装置において、上記放電灯のフィラメント及びダイオードを介して電源が供給され、上記インバータ回路を起動させる起動回路と、入力信号に対し交互にＯＮ、ＯＦＦ状態が反転する２つの出力信号を出力する切替信号出力回路と、上記起動回路の上記ダイオードのアノード側に接続され、上記スイッチング素子のゲート駆動信号を無効にするラッチ回路と、を備え、上記切替信号出力回路の上記２つの出力信号の一方を上記ラッチ回路のセット信号に、他方をリセット信号にするものである。
【００１３】
また、放電灯負荷回路のチョークコイルに設けられ、スイッチング素子を交互にＯＮ、ＯＦＦ駆動する電圧を発生する２次巻線と、この２次巻線に発生した上記電圧を検出して、上記検出電圧が予め定めた値より大きい場合に上記ラッチ回路を動作させるラッチ動作制御回路と、を備えたものである。
【００１４】
【発明の実施の形態】
実施の形態１．
図１は、この発明の実施の形態１である放電灯点灯装置の構成を示す回路図、図２は直流電源の回路図、図３は動作を説明するための波形図である。
図１において、１は商用電源等を整流平滑して得られる直流電源、２、３はインバータ回路を構成するＭＯＳＦＥＴから成るスイッチング素子、１１はスイッチング素子２に並列に接続された抵抗、Ｌ１００は放電灯負荷回路であり、チョークコイル５、放電灯６、放電灯６に並列に接続されたコンデンサ７、カップリングコンデンサ８から構成される。５ａおよび５ｂは上記５の２次巻線で、スイッチング素子２、３を交互にＯＮ、ＯＦＦするように図示・印の極性でスイッチング素子２、３のゲート、ソース間に抵抗１３、１４を介して接続される。チョークコイル５の１次および２次間の結合を表すため、破線で図示してある。
なお、スイッチング素子２及び３のドレイン・ソース間に内蔵されている等価ダイオードは図示を省略している。
【００１５】
９はアノードが直流電源１の負極にカソードがカップリングコンデンサ８と放電灯６のフィラメントの接続点に接続されたダイオード、１０はカソードが直流電源１の正極にアノードがカップリングコンデンサ８と放電灯６のフィラメントの接続点に接続されたダイオードである。ＳＴ１００はインバータ回路の起動回路であり、放電灯６とコンデンサ７の接続点に一端が接続され、他端がダイオード２２のアノードに接続された抵抗２１、一端がダイオード２２のカソード、他端が直流電源１の負極に接続されたコンデンサ１６、一端がダイオード２２のカソードとコンデンサ１６の接続点に接続され、他端が抵抗１８を介してスイッチング素子３のゲートに接続されたトリガーダイオード１７（例えば、ＮＥＣ製のＮ４１３がこれに相当する）、アノードがダイオード２２のカソードに、カソードがスイッチング素子３のドレイン接続されたダイオード１９から構成される。
【００１６】
Ｌａ１００はスイッチング素子３のゲート駆動信号を無効にするラッチ回路であり、アノードがスイッチング素子３のゲートに接続されたダイオード２３、アノードがダイオード２３のカソード及び起動回路ＳＴ１００のダイオード２２のアノード側に、カソードが直流電源１の負極に接続されたサイリスタ２４、サイリスタ２４のゲートとカソード間に接続された抵抗２７、抵抗２７に並列に接続されたコンデンサ２６、１端がサイリスタ２４のゲートに、他端がダイオード２８のカソードに接続された抵抗２５から構成される。
ダイオード２８のアノードは後述の切替信号出力回路３３の出力端子Ｑ’に接続される。
【００１７】
３３は入力信号に対し交互にＯＮ、ＯＦＦ状態が反転する２つの出力信号を出力する切替信号出力回路であり、抵抗４２を介して直流電源１に接続され、入力端子ＩＮ、リセット入力端子Ｒ、出力端子Ｑ、Ｑ’が設けられている。
【００１８】
３９は切替信号出力回路３３と並列に接続されたコンデンサ、３８は抵抗４２とコンデンサ３９の接続点にカソードが、直流電源１の負極にアノードが接続されたツエナーダイオードである。４３はツエナーダイオード３８のカソードに一端が接続されたコンデンサでその他端から抵抗４４を介して直流電源１の負極に接続される。コンデンサ４３と抵抗４４の接続点は切替信号出力回路３３のリセット入力端子Ｒに接続される。４０はスイッチであり、電極ａ、ｂ間を人間の指で触れて電極間のインピーダンスを小さくする、もしくは、電極ａ、ｂ間をＯＮ、ＯＦＦするスイッチ（図示せず）を設けてインピーダンスを小さくするものである。
【００１９】
４１はツエナーダイオード３８のアノードに１端が接続された抵抗でその他端はスイッチ４０のａ端子に接続される。スイッチ４０のｂ端子から抵抗３７を介して切替信号出力回路３３の入力端子ＩＮに接続される。切替信号出力回路の入力端子ＩＮと直流電源１の間に抵抗３４が接続される。
３５はアノードが直流電源１の負極に、カソードが切替信号出力回路３３の入力端子ＩＮに接続されたダイオード、３６はダイオード３５のカソードにアノードが接続されたダイオードでそのカソードはツエナーダイオード３８のカソードに接続される。切替信号出力回路３３のもう１つの出力端子Ｑからコンデンサ３１、抵抗３２、抵抗２９を介して直流電源１の負極に接続される。３０は抵抗３２と抵抗２９の接続点にベースが接続されたトランジスタでそのエミッタは直流電源１の負極に、そのコレクタはダイオード２２のアノードに接続される。
【００２０】
また、商用電源から直流電源を得る場合の構成を図２に示すが、図において、５０は商用電源でダイオードブリッジ５２で全波整流された後コンデンサ５３で平滑され、直流電源として負荷回路に出力される。
【００２１】
次に、図１、２、３により本実施の形態１の動作を説明する。
全体の動作説明の前に切替信号出力回路の動作概要を説明すると、切替信号出力回路３３の入力端子ＩＮ、リセット入力端子Ｒの電圧変化と出力端子Ｑ、Ｑ’の関係は図４に示すように、リセット入力端子Ｒに高レベル電圧（以降、Ｈレベルと呼ぶ）が入力されると（図３（２））、出力端子Ｑは低レベル電圧（以降、Ｌレベルと呼ぶ）に（図３（３））、出力端子Ｑ’はＨレベルとなる（図３（４））特性になるように構成されている。また、入力端子ＩＮの電圧がＬレベルからＨレベルに変化する（図３（１））度に出力端子Ｑ、Ｑ’の電圧は交互にＨ、Ｌのレベルが切り替わる（図３（３）、（４））特性となるように構成されている。
【００２２】
次に、全体の動作を説明する。図２において、交流電源５０が投入されると電解コンデンサ５３には直流電源が得られる。
以降、この直流電源を直流電源１として説明する。時間ｔ１で直流電源１が投入されると、抵抗４２、コンデンサ４３、抵抗４４の経路で電流が流れ図３（２２）に示すように切替信号出力回路３３のリセット入力端子ＲにはＨレベルのリセット信号が得られ、出力端子ＱはＬレベル、出力端子Ｑ’はＨレベルになる。出力端子Ｑ’はＨレベルになれば、サイリスタ２４のゲートに電流が流れて、サイリスタ２４はＯＮになる。ＯＮになったサイリスタ２４には直流電源１から抵抗１１、チョークコイル５、放電灯６のフィラメント、抵抗２１、サイリスタ２４の経路で保持電流が流れて、サイリスタ２４はＯＮ状態にラッチする。また、スイッチング素子３のゲートはダイオード２３、ＯＮ状態のサイリスタ２４を介して直流電源１の負極に接続されるのでＯＦＦ状態となる。
【００２３】
この状態では、放電灯６は点灯できず消灯状態となる。次に時間ｔ２で、スイッチ４０の電極ａ、ｂ間に指で触れ、その間のインピーダンスを低下させ切替信号出力回路３３の入力端子ＩＮをＬレベルからＨレベルに変化させれば出力端子ＱはＨレベル、出力端子Ｑ’はＬレベルになる。出力端子ＱがＨレベルになれば、コンデンサ３１、抵抗３２、抵抗２９の経路で電流が流れ、抵抗２９に発生する電圧によってトランジスタ３０はＴ１の期間ＯＮになる。
トランジスタ３０がＯＮになれば、サイリスタ２４の保持電流はＯＮになったトランジスタ３０に流れるので、サイリスタ２４はＯＦＦになる。
また、切替信号出力回路３３の出力端子Ｑ’はＬレベルなので、サイリスタ２４は再びＯＮになることはない。
【００２４】
そして、Ｔ１の期間が過ぎると、直流電源１から抵抗１１、チョークコイル５、放電灯６のフィラメント、抵抗２１、ダイオード２２を介してコンデンサ１６に充電される。
コンデンサ１６の充電電圧がトリガーダイオード１７の電圧を越えると、コンデンサ１６から抵抗１８、抵抗１３、チョークコイル５の２次巻線５ｂを介して電流が流れ、抵抗１３と２次巻線５ｂに発生する電圧によりスイッチング素子３はＯＮとなる。この時、抵抗１１を介してコンデンサ７、８に充電されていた電荷がチョークコイル５、スイッチング素子３の経路で放電され、そのときチョークコイル５の２次巻線５ｂに発生した電圧によっても、スイッチング素子３はさらにＯＮ、スイッチング素子２はＯＦＦ状態になる。
【００２５】
一方、コンデンサ１６の電圧はスイッチング素子３がＯＮになることにより放電するのでトリガーダイオード１７はＯＦＦになる。
また、チョークコイル５を流れる電流は放電灯負荷回路Ｌ１００の回路定数等で定まる周期の後、流れる電流の向きが反転し、それによって今度はスイッチング素子２がＯＮ、スイッチング素子３がＯＦＦに転ずる。以後スイッチング素子２、３は交互に高周波で駆動され放電灯６は点灯に至る（図３（８））。
時間ｔ３でスイッチ４０に触れている指を離すと、切替信号出力回路３３の入力端子ＩＮはＨレベルからＬレベルになるが、上記で説明した切替信号出力回路３３の特性により、出力端子Ｑ、Ｑ’に出力レベルの変化は生じないので、放電灯６は点灯状態を維持する。
【００２６】
時間ｔ４でスイッチ４０の電極ａ、ｂ間に再び指を触れれば、切替信号出力回路３３の入力端子ＩＮはＬレベルからＨレベルになり、その出力端子ＱはＨレベルからＬレベルに、出力端子Ｑ’はＬレベルからＨレベルに変化する。
切替信号出力回路３３の出力端子Ｑ’がＨレベルになれば、サイリスタ２４はＯＮになり、スイッチング素子２、３の発振は停止し、放電灯６は消灯状態になる。サイリスタ２４がＯＮになれば、抵抗１１、チョークコイル５、放電灯６のフィラメント、抵抗２１の経路で保持電流が流れてＯＮ状態が継続される。また、この状態では起動回路ＳＴ１００を構成するコンデンサ１６への充電電流も流れることがないので、スイッチング素子はＯＮに転ずることはない。
即ち、放電灯６の消灯状態は維持される。以降、スイッチ４０を指で触れる度に放電灯６の点灯、消灯を繰り返すことができる。
【００２７】
以上のように、本実施の形態１によれば、大型の電源スイッチを使用することなく放電灯６の点灯、消灯を操作できる効果がある。また、スイッチ４０は操作者の指等で電極ａ、ｂ間を触れる構造なので、従来実施例のスイッチ５１のように大きな突入電流が流れてスイッチ電極が摩耗することもなく、いわゆる軽いタッチでＯＮ、ＯＦＦ操作することができる。
また、最初に交流電源５０を投入した時を除き、電解コンデンサ５３には常時充電されているので、放電灯６の点灯、消灯の度にダイオードブリッジ５２、電解コンデンサ５３に大きな突入電流が流れることがないようにすることができる。
また、スイッチ４０を小型にできるので照明器具の意匠上の制約を小さくすることができる。
【００２８】
なお、本実施の形態１では、起動回路ＳＴ１００において、放電灯６のフィラメント、抵抗２１及びダイオード２２を介して電源が供給されたものを示したが、放電灯６のフィラメントを介さずに、電源１の正極から、抵抗２１及びダイオード２２を介して電源を供給してもよい。
また、従来例と同様電源スイッチ５１を付加しても良い。
また、切替信号出力回路３３、ラッチ回路Ｌａ１００、起動回路ＳＴ１００等は図１に図示した構成のものに限らず、これと同等の作用をする他の構成のものでも良い。
また、スイッチ４０は電極ａ、ｂ間を指で触れて操作する構成のものに限らず接触子を開閉する構成のものでも良い。
【００２９】
実施の形態２．
図４は、この発明の実施の形態２である放電灯点灯装置の構成を示す回路図である。図において、実施の形態１の図１と同一の部分は同一符号を付し説明を省略する。
図において、５１はチョークコイル５の２次巻線と抵抗１３の接続点にアノードが接続されたダイオードでそのカソードから抵抗５２、コンデンサ５４を介して直流電源１の負極に接続される。５３は抵抗５２とコンデンサ５４の接続点にカソードが接続されたツエナーダイオードで、そのアノードからダイオード５５のアノードを介してダイオード２８のカソードに接続される。
上記のダイオード５１、抵抗５２、コンデンサ５４、ツエナーダイオード５３及びダイオード５５はラッチ動作制御回路を構成している。
【００３０】
次に、本実施の形態２の動作を図４により説明する。
図において、直流電源１が投入された後、スイッチ４０を操作して放電灯６を点灯、消灯できることは実施の形態１と同様である。
ここで放電灯６のフィラメントの放電物質の消耗等の理由で放電灯６が寿命になると放電灯６の放電維持電圧が大きくなるため、それにともなってチョークコイル５の電圧も大きくなる。これによってチョークコイル５の２次巻線５ｂの電圧も大きくなり、コンデンサ５４の電圧は上昇する。
ここで、ツエナーダイオード５３のツエナー電圧を、放電灯６が正常放電している場合にコンデンサ５４に得られる電圧よりも大きく、放電灯６の寿命末期時にコンデンサ５４に得られる電圧より小さく、かつ、サイリスタ２４をＯＮできるように選定すれば、放電灯６が寿命末期になりその放電維持電圧が大きくなった場合に、サイリスタ２４はＯＮになる。
サイリスタ２４が一旦ＯＮになれば、その状態は維持されるので、放電灯６が寿命末期になることによって起こるチラツキなどの異常な状態での動作継続を回避できる効果がある。また、ダイオード１０及びダイオード９はカップリングコンデンサ８の電圧が直流電源１の電圧を越えて発振する場合にその電圧を直流電源１に還流することによって、放電灯負荷回路に過大な電力が流入するのを防止している。
【００３１】
放電灯６の異常放電によってサイリスタ２４がＯＮを維持している状態で放電灯６を点灯装置から抜去すると、サイリスタ２４への保持電流が零になり、サイリスタ２４はＯＦＦになる。そして、放電灯６を正常放電するものに替えて再装着すると、起動回路ＳＴ１００のコンデンサ１６には、充電電流が流れてインバータ回路は再起動され放電灯６は点灯に至る。
【００３２】
以上のように、本実施の形態２によれば、実施の形態１の効果の他、放電灯６の点灯、消灯に使用するラッチ回路Ｌａ１００を共用して、放電灯６の寿命末期時等の異常放電状態の動作継続を回避するとともに、異常放電する放電灯を正常放電する放電灯に置換装着した場合に、自動再起動をさせることができる。
【００３３】
【発明の効果】
この発明は、以上のように、直流電源と、この直流電源から供給される直流を高周波電流に変換する一対のスイッチング素子を有するインバータ回路と、チョークコイル及び放電灯を有する放電灯負荷回路と、を備えた放電灯点灯装置において、ダイオードを介して電源が供給され、上記インバータ回路を起動させる起動回路と、入力信号に対し交互にＯＮ、ＯＦＦ状態が反転する２つの出力信号を出力する切替信号出力回路と、上記起動回路の上記ダイオードのアノード側に接続され、上記スイッチング素子のゲート駆動信号を無効にするラッチ回路と、を備え、上記切替信号出力回路の上記２つの出力信号の一方を上記ラッチ回路のセット信号に、他方をリセット信号にするので、大型の電源スイッチを使用することなく放電灯の点灯、消灯を操作することができる。
また、スイッチは操作者の指等で電極ａ、ｂ間を触れる構造なので、大きな突入電流が流れてスイッチ電極が摩耗することもなく、いわゆる軽いタッチでＯＮ、ＯＦＦ操作することができる。
また、放電灯の点灯、消灯の度にダイオードブリッジ、電解コンデンサに大きな突入電流が流れることがないようにすることができる。
また、スイッチを小型にできるので照明器具の意匠上の制約を小さくすることができる。
【図面の簡単な説明】
【図１】この発明の実施の形態１を示す放電灯点灯装置の回路図である。
【図２】この発明の実施の形態１を示す放電灯点灯装置の直流電源の構成を示す回路図である。
【図３】この発明の実施の形態１を示す放電灯点灯装置の回路の動作を説明するための波形図である。
【図４】この発明の実施の形態２を示す放電灯点灯装置の回路図である。
【図５】従来の放電灯点灯装置の構成を示す回路図である。
【図６】従来の放電灯点灯装置の直流電源の構成を示す回路図である。
【符号の説明】
１　直流電源、２、３　スイッチング素子、５　チョークコイル、６　放電灯、７　コンデンサ、４０　スイッチ、８　コンデンサ、５１、５５　ダイオード、１１　抵抗、５２　抵抗、１３、１４　抵抗、５３　ツエナーダイオード、１５　抵抗、５４　コンデンサ、１６　コンデンサ、ＳＴ１００　起動回路、１７トリガーダイオード、Ｌａ１００　ラッチ回路、１８　抵抗、１９　ダイオード、Ｌ１００　放電灯負荷回路、２１　抵抗、２２、２３、２８　ダイオード、２４　サイリスタ、２５、２７　抵抗、２６、３１　コンデンサ、３０　トランジスタ、２６　コンデンサ、３３　切替信号出力回路。
【図１】
2004063330.tif 000003
【図２】
2004063330.tif 000004
【図３】
2004063330.tif 000005
【図４】
2004063330.tif 000006
【図５】
2004063330.tif 000007
【図６】
2004063330.tif 000008